(57)【要約】【課題】所定の深さ位置の１または２以上の試料を採取する作業を簡単に行うことができ、また、高粘度液体等の試料を採取する作業を容易に行うことができる試料採取器を提供する。【解決手段】試料採取器４４は、１または２以上の貫通孔部（収容部）５２を備える柱状部材である試料収容部材４６と、支持部５４と、突起部５６からなる第一の閉塞部材４８と、筒状部材である第二の閉塞部材５０を備える。試料採取（収容）に先立ち、試料収容部材４６の貫通孔部５２に第一の閉塞部材４８の突起部５６を挿入して貫通孔部５２を閉塞する。試料採取時、第一の閉塞部材４８の突起部５６を試料収容部材４６の貫通孔部５２から引き抜く。試料を貫通孔部５２に収容した後は、第二の閉塞部材５０を試料収容部材４６に外嵌し、貫通孔部５２を閉塞する。そして、一体化した試料収容部材４６および第二の閉塞部材５０を容器から引き上げて、測定、分析に供する。【選択図】図７
2011027726.tif 000002
【特許請求の範囲】
【請求項１】
試料を収容する収容部を長手方向に１または２以上備える試料収容部材と、該試料収容部材と対応して設けられ、一端部を把持されて該試料収容部材に対して相対的に移動することにより、試料収容時に該収容部を開放するとともに試料収容後に該収容部を閉塞可能な閉塞部材を有することを特徴とする試料採取器。
【請求項２】
前記閉塞部材が、試料収容前に前記収容部を閉塞するとともに試料収容時に該収容部を開放する、該収容部に対して着脱可能な第一の閉塞部材と、試料収容後に該収容部を閉塞可能な第二の閉塞部材で構成されることを特徴とする請求項１記載の試料採取器。
【請求項３】
前記試料収容部材が、径方向に形成される貫通孔部を前記収容部として備える柱状部材であり、
前記閉塞部材が、該試料収容部材と対応して設けられ、径方向の対向する位置に一対に形成される孔部が軸方向に１または２以上の組数形成される筒状部材であり、
該閉塞部材が、該試料収容部材に外嵌めされ、該試料収容部材に対して相対的に移動することにより、試料収容時に該貫通孔部と該孔部が連通して該収容部を開放するとともに試料収容後に該収容部を該閉塞部材の非孔部が覆って該収容部を閉塞可能であることを特徴とする請求項１記載の試料採取器。
【請求項４】
前記閉塞部材が、孔部を有さない筒状部材であり、
該閉塞部材が、該試料収容部材に外嵌めされ、該試料収容部材に対して相対的に移動することにより、試料収容時に該貫通孔部が該閉塞部材から露出して連通して該収容部を開放するとともに試料収容後に該収容部を該閉塞部材が覆って該収容部を閉塞可能であることを特徴とする請求項３記載の試料採取器。
【請求項５】
前記試料収容部材が、支持部と、該支持部の長手方向に突起状に設けられ、試料を収容する貫通部を前記収容部として有する突起部からなり、
前記閉塞部材が、該試料収容部材と対応して設けられ、該収容部を挿通可能な１または２以上の貫通孔部が形成される柱状部材であり、
試料収容時に該収容部を該貫通孔部から露出して該収容部を開放するとともに試料収容後に該収容部を該貫通孔部内に収容して該収容部を閉塞可能であることを特徴とする請求項１記載の試料採取器。
【請求項６】
前記試料収容部材が、径方向に形成される貫通孔部を前記収容部として備える柱状部材であり、
前記第一の閉塞部材が、該試料収容部材と対応して設けられ、支持部と、該支持部の長手方向に１または２以上突起状に設けられ、該貫通孔部を閉塞可能な突起部からなり、
前記第二の閉塞部材が、孔部を有さない筒状部材であり、
試料収容前は、該試料収容部材と該第一の閉塞部材が一体化されて該貫通孔部が該突起部で閉塞され、試料収容時は該試料収容部材から該第一の閉塞部材が取り外されて該貫通孔部が開放され、試料収容後は、該試料収容部材に第二の閉塞部材が外嵌めされて該貫通孔部が閉塞可能であることを特徴とする請求項２記載の試料採取器。
【請求項７】
中空筒部材である試料収容部材と、該試料収容部材に嵌脱自在に挿入されて該試料収容部材を完全に閉塞することができる柱状部材である閉塞部材からなる試料採取部を複数組有し、それぞれの試料採取部が該中空筒部材の該柱状部材を挿入する側とは反対側の端面の位置を相互に違えて、着脱自在にまたは固着して一体化され、
試料収容前は、該試料収容部材が下部まで該閉塞部材で閉塞され、試料収容時は、該試料収容部材に対して該閉塞部材が上動して該試料収容部材の下部が開放され、試料が保持されることを特徴とする試料採取器。
【発明の詳細な説明】
【技術分野】
【０００１】
本発明は、試料採取器に関する。
【背景技術】
【０００２】
試料採取については、採取した試料を測定、分析する対象物の種類および測定、分析する対象物の貯蔵条件に応じて、試料採取器おとびそれを用いた試料採取方法がＪＩＳ等で規格化、標準化されることが一般的に行われている。
例えば、大容量のタンクに貯留される石油製品の場合、ＪＩＳ  Ｋ２５５１において、貯留するタンクに所定の錘付き採取器を、栓をしたまま沈めて、栓を外して一定速度で錘付き採取器を引き上げることにより全層試料(平均試料、代表試料)を採取する方法が規定されている。また、このとき、所定の深さ位置で栓を外して錘付き採取器をその位置で所定時間止めておくことにより所定深さ位置(所定層)の試料を採取することも行われる。
【０００３】
これに対して、小容量の容器等に貯留される例えば液状中間品や液状製品の試料採取については、上記の石油製品の場合のように深さ方向で複数の試料を採取して代表試料（平均試料）を得るのではなく、容器等に貯留される液体を撹拌して均一化した状態で適宜の試料採取器を用いて適宜の深さ位置の試料を採取して代表試料（平均試料）とすることが一般的に行われている。
【０００４】
しかしながら、上記のように小容量の容器等に貯留される物であっても、例えばスキンケア化粧品として汎用されるクリーム製剤の場合、クリーム製剤が粘度の高い乳化液であるため、クリーム製剤原料の各成分を配合した後に十分に撹拌した状態であっても、完全に均一化することができずに乳化液中の各成分が偏在するおそれがある。このため、撹拌状態で試料を採取しても代表試料としてふさわしいかの判断が難しい。
【０００５】
したがって、容器内の乳化液の一部を採取した場合、それが代表試料としてふさわしいかを判断するためには、容器内の深さ方向の異なる位置から複数の試料を所定量採取して、成分が均一であることを確認する必要がある。あるいは、これら複数の試料を合わせて代表試料として調製した物を測定、分析に用いることが必要となる。ところが、このような試料採取作業は煩雑となる。また、クリーム製剤のような粘度の高い物の場合には、試料採取器を用いて所定深さ位置の試料を得る作業を適正に行うこと自体が容易ではない。
【０００６】
また、各成分が偏在するおそれがあるクリーム製剤等の高粘度物において、例えば、容器内の深さ方向の異なる位置から採取した１つまたは複数の試料を個別に測定、分析することで、各成分の分布状態を知ることが製造管理上有用である。しかしながら、この場合においても、適正な試料採取作業を簡易でかつ容易に行うことは難しい。この点は、例えば水溶液等の低粘度物について同様の目的で複数の試料採取を行うときにおいても避けることができない。
【発明の概要】
【発明が解決しようとする課題】
【０００７】
解決しようとする問題点は、容器等に貯留される測定、分析対象物について複数の深さ位置の試料を採取する場合や、粘度の高い分析対象物について例えば底付近の所定の深さ位置の試料を採取する場合等において、試料採取作業が煩雑である点である。また、高粘度液の試料採取作業等においては適当な試料を採取すること自体に困難を伴う点である。
【課題を解決するための手段】
【０００８】
本発明に係る試料採取器は、試料を収容する収容部を長手方向に１または２以上備える試料収容部材と、該試料収容部材と対応して設けられ、一端部を把持されて該試料収容部材に対して相対的に移動することにより、試料収容時に該収容部を開放するとともに試料収容後に該収容部を閉塞可能な閉塞部材を有することを特徴とする。
【０００９】
このとき、試料採取器は、好ましくは、前記試料収容部材が、径方向に形成される貫通孔部を前記収容部として備える柱状部材であり、前記閉塞部材が、該試料収容部材と対応して設けられ、径方向の対向する位置に一対に形成される孔部が軸方向に１または２以上の組数形成される筒状部材であり、
該閉塞部材が、該試料収容部材に外嵌めされ、該試料収容部材に対して相対的に移動することにより、試料収容時に該貫通孔部と該孔部が連通して該収容部を開放するとともに試料収容後に該収容部を該閉塞部材の非孔部が覆って該収容部を閉塞可能であることを特徴とする。
また、試料採取器は、好ましくは、前記閉塞部材が、孔部を有さない筒状部材であり、
該閉塞部材が、該試料収容部材に外嵌めされ、該試料収容部材に対して相対的に移動することにより、試料収容時に該貫通孔部が該閉塞部材から露出して連通して該収容部を開放するとともに試料収容後に該収容部を該閉塞部材が覆って該収容部を閉塞可能であることを特徴とする。
また、試料採取器は、好ましくは、前記試料収容部材が、支持部と、該支持部の長手方向に突起状に設けられ、試料を収容する貫通部を前記収容部として有する突起部からなり、
前記閉塞部材が、該試料収容部材と対応して設けられ、該収容部を挿通可能な１または２以上の貫通孔部が形成される柱状部材であり、
試料収容時に該収容部を該貫通孔部から露出して該収容部を開放するとともに試料収容後に該収容部を該貫通孔部内に収容して該収容部を閉塞可能であることを特徴とする。
【００１０】
また、本発明に係る試料採取器は、好ましくは、前記閉塞部材が、試料収容前に前記収容部を閉塞するとともに試料収容時に該収容部を開放する、該収容部に対して着脱可能な第一の閉塞部材と、試料収容後に該収容部を閉塞可能な第二の閉塞部材で構成されることを特徴とする。
【００１１】
このとき、試料採取器は、好ましくは、前記試料収容部材が、径方向に形成される貫通孔部を前記収容部として備える柱状部材であり、
前記第一の閉塞部材が、該試料収容部材と対応して設けられ、支持部と、該支持部の長手方向に１または２以上突起状に設けられ、該貫通孔部を閉塞可能な突起部からなり、
前記第二の閉塞部材が、孔部を有さない筒状部材であり、
試料収容前は、該試料収容部材と該第一の閉塞部材が一体化されて該貫通孔部が該突起部で閉塞され、試料収容時は該試料収容部材から該第一の閉塞部材が取り外されて該貫通孔部が開放され、試料収容後は、該試料収容部材に第二の閉塞部材が外嵌めされて該貫通孔部が閉塞可能であることを特徴とする。
【００１２】
また、本発明に係る試料採取器は、中空筒部材である試料収容部材と、該試料収容部材に嵌脱自在に挿入されて該試料収容部材を完全に閉塞することができる柱状部材である閉塞部材からなる試料採取部を複数組有し、それぞれの試料採取部が該中空筒部材の該柱状部材を挿入する側とは反対側の端面の位置を相互に違えて、着脱自在にまたは固着して一体化され、
試料収容前は、該試料収容部材が下部まで該閉塞部材で閉塞され、試料収容時は、該試料収容部材に対して該閉塞部材が上動して該試料収容部材の下部が開放され、試料が保持されることを特徴とする。
【発明の効果】
【００１３】
本発明に係る試料採取器は、試料を収容する収容部を長手方向に１または２以上備える試料収容部材と、試料収容部材と対応して設けられ、一端部を把持されて試料収容部材に対して相対的に移動することにより、試料収容時に収容部を開放するとともに試料収容前後に収容部を閉塞可能な閉塞部材を有するため、または、中空筒部材である試料収容部材と、試料収容部材に嵌脱自在に挿入されて試料収容部材を完全に閉塞することができる柱状部材である閉塞部材からなる試料採取部を複数組有し、それぞれの試料採取部が該中空筒部材の柱状部材を挿入する側とは反対側の端面の位置を相互に違えて、着脱自在にまたは固着して一体化され、試料収容前は、試料収容部材が下部まで閉塞部材で閉塞され、試料収容時は、試料収容部材に対して閉塞部材が上動して試料収容部材の下部が開放され、試料が保持されるため、所定の深さ位置の１または２以上の試料を採取する作業を簡単に行うことができる。また、測定、分析対象物が高粘度液体等の場合等において、試料を採取する作業を容易に行うことができる。
【図面の簡単な説明】
【００１４】
【図１】図１は本実施の形態の第一の例に係る試料採取器を構成する試料収容部材および閉塞部材の斜視図である。
【図２Ａ】図２Ａは図１の試料採取器を容器中に配置した、試料採取直前の状態を説明するための試料採取器の断面図である。
【図２Ｂ】図２Ｂは試料採取中の状態を説明するための試料採取器の断面図である。
【図３】図３は本実施の形態の第一の例に係る試料採取器の変形例を説明するための試料採取器の断面図である。
【図４】図４は本実施の形態の第二の例に係る試料採取器を構成する試料収容部材および閉塞部材の斜視図である。
【図５Ａ】図５Ａは図４の試料採取器を容器中に配置した、試料採取直前の状態を説明するための試料採取器の断面図である。
【図５Ｂ】図５Ｂは試料採取中の状態を説明するための試料採取器の断面図である。
【図６】図６は本実施の形態の第二の例に係る試料採取器の変形例を説明するための試料採取器の断面図である。
【図７】図７は本実施の形態の第三の例に係る試料採取器を構成する試料収容部材および閉塞部材の斜視図である。
【図８Ａ】図８Ａは図７の試料採取器を容器中に配置した、試料採取直前の状態を説明するための試料採取器の断面図である。
【図８Ｂ】図８Ｂは試料採取中の状態を説明するための試料採取器の断面図である。
【図８Ｃ】図８Ｃは試料採取後、試料を容器から取り出すときの状態を説明するための試料採取器の断面図である。
【図９】図９は実施例の試料採取方法を説明するための図である。
【図１０】図１０は実施例の試料採取方法により各深さ位置の酢酸トコフェロールの定量を行った結果を示すグラフ図である。
【図１１】図１１は本実施の形態の第四の例に係る試料採取器の斜視図である。
【図１２】図１２は図１１の試料採取器の底面図である。
【図１３】図１３は図１１の試料採取器を容器中に配置して試料採取中の状態を説明するための図である。
【発明を実施するための形態】
【００１５】
本発明の実施の形態（以下、本実施の形態例という。）について、図を参照して、以下に説明する。
【００１６】
まず、本実施の形態に係る試料採取器の基本原理について説明する。
試料採取器は、試料収容部材と、試料収容部材と対応して設けられる閉塞部材を有する。
試料収容部材は、試料を収容する収容部を長手方向に１または２以上備える。また、閉塞部材は、一端部を把持されて試料収容部材に対して相対的に移動することにより、試料収容時に１または２以上の収容部を開放するとともに試料収容前後に１または２以上の収容部を閉塞可能に構成される (基本原理１)。
このとき、閉塞部材を、試料収容前に収容部を閉塞するとともに試料収容時に収容部を開放する、収容部に対して着脱可能な第一の閉塞部材と、試料採取後に収容部を閉塞可能な第二の閉塞部材で構成してもよい(基本原理２)。
基本原理１、２の試料採取器によれば、所定の複数位置で試料を同時に採取することにより、時間を経過せず（タイムラグを生じることなく）、同一時刻で試料が採取される。これにより、所定の深さ位置の１または２以上の試料を採取する作業を簡単に行うことができる。また、測定、分析対象物が高粘度液体等の場合等において、試料を採取する作業を容易に行うことができる。
【００１７】
つぎに、上記基本原理１を用いた本実施の形態の第一の例に係る試料採取器について、図１、図２Ａおよび図２Ｂを参照して説明する。
【００１８】
本実施の形態の第一の例に係る試料採取器１０は、試料収容部材１２と閉塞部材１４を備える。
試料収容部材１２は、柱状部材であり、径方向に形成される貫通孔部１６が１または２以上（図１等では、５つ）長手方向に形成される。貫通孔部１６は、試料を収容する収容部である(以下、収容部についても参照符号１６を付す。)。
試料収容部材１２の形状は、多角柱や円柱であってもよく、また、長手方向で径寸法が異なる断面台形状の柱状部材であってもよく、さらにまた、本発明の効果を奏する限りにおいて部分的な構造の異なる他の適宜の形状であってもよい。貫通孔部１６は、開口部分の形状が円形であってもよく多角形であってもよい。なお、試料収容部材１２の下部には鍔部１８が設けられ、試料収容部材１２の上部には把持部２０が設けられるが、これらは同じ作用を奏する他の適宜の物であってもよく、また、必要に応じて省いてもよい。
閉塞部材１４は、試料収容部材１２と対応して設けられる筒状部材である。閉塞部材１４は、径方向の対向する位置に組で形成される孔部２２ａ、２２ｂが１または２以上の組（図１等では、４組）長手方向に形成される。閉塞部材１４の上部には把持部２４が設けられるが、これは同じ作用を奏する他の適宜の物であってもよく、また、必要に応じて省いてもよい。
試料収容部材１２および閉塞部材１４は、適宜の材料で形成することができるが、いずれか一方をポリテトラフルオロエチレン等の潤滑性に優れる樹脂等で形成しまたはこれら樹脂のコーティング材で形成し、他方をＳＵＳ等の金属等で形成すると、試料収容部材１２および閉塞部材１４の良好な密着性を確保しながら、相対的な移動操作を円滑に行うことができる。また、試料収容部材１２および閉塞部材１４の形状や寸法、ならびに収容部１６および孔部２２ａ、２２ｂの寸法や数等については、試料採取条件等に応じて適宜設定することができる。
以上説明した事項は、以下に説明する他の実施形態例についても同様に適用することができる。
【００１９】
容器２６には、測定、分析対象物２８が貯留される。
試料採取に先立ち、試料収容部材１２に閉塞部材１４を外嵌めし、閉塞部材１４の下端を鍔部１８に当接させて試料収容部材１２と閉塞部材１４を一体化させる。そして、この状態で、把持部２０または把持部２４を把持して、試料収容部材１２および閉塞部材１４を、例えば鍔部１８が容器２６の底面２６ａに当接するように容器２６の内部に浸漬する。
このとき、容器２６の底面２６ａが鍔部１８に比べて十分大きな平坦面であれば、試料収容部材１２は容器２６の底面２６ａに対して垂直に正しく位置決めされる。これに対して、容器２６の底面２６ａが湾曲している場合等においては、例えば適当な水準器あるいは水準器相当の補助部材を使う等により試料収容部材１２を容器２６の底面２６ａに対して垂直に位置決めすることができる。これにより、試料採取位置（深さ）を他の格別の手段を用いて確認する必要がない。
この状態において、図２Ａに示すように、貫通孔部１６と孔部２２ａ、２２ｂは位置がずれるように設定されており、貫通孔部１６は閉塞部材１４の非孔部（壁部）によって閉塞される。したがって、試料採取前には、気体（空気）溜りとなっている収容部１６に容器２６内の測定、分析対象物２８が進入することが防止される。
【００２０】
試料採取（収容）時、図２Ｂに示すように、閉塞部材１４を試料収容部材１２に対して相対的に移動させて、すなわち、具体的には、閉塞部材１４を所定量上方に引き上げる。なお、このとき、閉塞部材１４を確実に所定量移動させるためには、位置決め用マーキングを設け、あるいはリブ等の位置決め用部材を設ける等の適宜の手段を採用することができる。この点は、以下の他の実施の形態例においても同様である。
これにより、容器２６の所定のそれぞれの深さ位置において、貫通孔部１６と孔部２２ａ、２２ｂが連通し、測定、分析対象物２８の試料が収容部（貫通孔部）１６に進入し、収容される。このとき、測定、分析対象物２８が高粘度品等の場合には閉塞部材１４を移動させるときの大きな摩擦抵抗を考慮する必要が、閉塞部材１４の移動量が小さいため、閉塞部材１４の移動操作に大きな支障はない。
収容部（貫通孔部）１６に溜まっていた気体（空気）は主に試料が進入する側とは反対側の開口から押し出され、試料の収容部（貫通孔部）１６への進入が円滑に行われる。このとき、収容部（貫通孔部）１６を径方向に傾斜状に、すなわち、収容部（貫通孔部）１６の両端の開口の高さ位置を変えて形成すると、高い高さ位置にある開口から気体が容易に抜け、試料の収容部（貫通孔部）１６への進入が促進されるため、より好ましい。この点は、以下の他の実施に形態においても同様に採用することができる。なお、図２Ｂの場合、試料収容部材１２の最下部の貫通孔部１６は閉塞部材１４から露出することにより試料の収容が可能となるが、これに代えて、試料収容部材１２の最下部の貫通孔部１６に対応する１組の孔部２２ａ、２２ｂを閉塞部材１４の最下部に更に設けてもよい。
なお、上記した方法に限ることなく、試料採取前から試料採取時までの間を通じて、貫通孔部１６と孔部２２ａ、２２ｂを連通させておいてもよい。
【００２１】
試料を収容部１６に収容した後は、閉塞部材１４を押し下げて、貫通孔部１６を閉塞して再度図２Ａの状態にして、試料収容部材１２および閉塞部材１４を容器２６から引き上げる。そして、試料収容部材１２の収容部１６に収容された試料を測定、分析に供する。
【００２２】
例えば、容器２６が容量５０リットルの高粘度の化粧用クリーム製剤の製造釜である場合、試料収容部材１２として例えば径が２０ｍｍのポリテトラフルオロエチレン棒を用い、例えば４０ｍｍ間隔で径が１５ｍｍの収容部１６を設ける。そして、閉塞部材１４として例えば試料収容部材１２と対応した所定の形状のＳＵＳパイプを用いると、好適に試料採取作業を行うことができる。容器２６が例えば容量数百ミリリットルの化粧用クリーム製剤保存容器の場合は、試料収容部材１２および閉塞部材１４の寸法を適宜スケールダウンすればよい。ここで、ポリテトラフルオロエチレン棒およびＳＵＳパイプは、製造釜や容器の形状に応じて、直線状であってもよく、また、曲線（湾曲）状であってもよい。
なお、所定の深さ位置において試料を１点のみ採取する場合は、試料採取器１０を試料収容部材１２の貫通孔部１６を１箇所のみ設けるとともに閉塞部材１４の孔部２２ａ、２２ｂも１組のみ設ける構成としてもよく、あるいは、閉塞部材１４の孔部２２ａ、２２ｂについてのみ１組設ける構成としてもよい。
上記した点は、以下の他の実施の形態例においても共通する。
【００２３】
以上説明したように、試料採取器１０は、試料収容部材１２に対して閉塞部材１４を上下動させて、収容部材１２の貫通孔部１６を閉塞部材１４の非孔部（壁部）で閉塞して貫通孔部１６を密閉し、また、収容部材１２の貫通孔部１６と閉塞部材１４の孔部２２ａ、２２ｂを連通させて貫通孔部１６を開放するものである。
これに対して、試料収容部材１２を円柱部材で、および閉塞部材１４を円筒部材で形成する場合は、試料収容部材１２の貫通孔部１６と閉塞部材１４の孔部２２ａ、２２ｂを同じ高さ位置に設け、試料収容部材１２に対して閉塞部材１４を同じ高さ位置で回動させて、収容部材１２の貫通孔部１６を閉塞し、また、開放する構成としてもよい。
【００２４】
本実施の形態の第一の例に係る試料採取器１０を用いることにより、いわば１つの操作によって容器２６の深さ方向の１また２以上の位置の試料を簡単に採取することができる。
測定、分析対象物２８は、水等の低粘度物であってもよいが、化粧品クリーム製剤の高粘度品等の場合に本発明の効果をより奏することができる。また、測定、分析対象物２８は、試料採取器１０の使用が可能である限り、例えば低嵩密度の粉粒品等であってもよい。このため、本発明の効果を奏する限り、化粧品に限らず食品等の広範な測定、分析対象物について試料採取器１０を好適に用いることができる。
このとき、試料収容部材１２と閉塞部材１４の密着性がやや不足し、また、収容部１６が閉塞部材１４によって完全に閉塞できないときは、水等の低粘度物を採取する上では必ずしも十全とはいえないかもしれないが、少なくとも測定、分析対象物２８が高粘度品や粉粒品の場合は、試料採取前に、収容部１６に試料が漏れこんだり、試料採取後に収容部１６から試料が漏れ出したりするおそれや作業性を損なうおそれは少ない。
なお、収容部１６の構造および使用方法の特性上、測定、分析対象物２８が高粘度品や粉粒品の場合は、収容部１６に収容する試料の定量性については不足するおそれがあり、その場合、複数の試料を用いて代表試料を調製する意義に欠けるおそれがある。しかし、所定の深さ位置の組成や成分を把握するうえで、試料採取器１０は好適であり、特に、測定、分析対象物２８が高粘度品や粉粒品の場合は、その意義が大きい。
【００２５】
つぎに、本実施の形態の第一の例に係る試料採取器１０の変形例について、図３を参照して説明する。
変形例に係る試料採取器１０ａは、閉塞部材１４ａが試料採取器１０の閉塞部材１４と異なる点のみが試料採取器１０と異なる。すなわち、閉塞部材１４ａは閉塞部材１４のような孔部２２ａ、２２ｂを有さない筒状部材である。
試料採取（収容）時には、閉塞部材１４ａを試料収容部材１２に対して相対的に移動させて、閉塞部材１４ａを試料収容部材１２からほぼ引き抜いた状態にすることにより、図３に示すように収容部１６を閉塞部材１４ａから露出して容器２６内の測定、分析対象物２８と連通して収容部１６を開放して、収容部１６に試料を収容する。一方、試料収容前後には、試料収容部材１２に閉塞部材１４ａを完全に被せて１６収容部を閉塞部材１４ａが覆うことにより収容部１６を閉塞する。なお、このとき、容器の所定の深さ位置の１点の試料のみを採取する場合は、閉塞部材１４ａの最下部を試料収容部材１２の最下部の収容部１６の直上位置に引き上げればよい。
なお、上記した方法に限ることなく、試料採取前から試料採取時までの間を通じて、収容部１６を閉塞部材１４ａから露出させておいてもよい。
変形例に係る試料採取器１０ａは、本実施の形態の第一の例に係る試料採取器１０と同様の効果を得ることができる。また、試料採取器１０ａは、高粘度の測定、分析対象物２８との摩擦力による閉塞部材１４ａの移動操作への影響を考慮する必要があるものの、閉塞部材１４ａの構造が簡易であるという利点を有する。
【００２６】
つぎに、上記基本原理１を用いた本実施の形態の第二の例に係る試料採取器について、図４、図５Ａおよび図５Ｂを参照して説明する。
【００２７】
本実施の形態の第二の例に係る試料採取器３０は、試料収容部材３２と閉塞部材３４を備える。
試料収容部材３４は、支持部３６と、突起部３８を有する。突起部３８は、支持部３６の長手方向に１または２以上（図４等では、４つ）突起状に設けられ、それぞれの突起部３８には試料を収容する貫通部４０が支持部３６から遠い突起部３８の先端部分に形成される（収容部。これにも参照符号４０を付す。）。
閉塞部材３４は、試料収容部材３２と対応して設けられる柱状部材である。閉塞部材３４は、突起部３８に対応して、径（短尺）方向に形成される貫通孔部４２が、長手方向に１または２以上設けられる。
【００２８】
試料採取前は、図５Ａに示すように、閉塞部材３４の貫通孔部４２に試料収容部材３２の収容部４０が挿入され、収容部４０が開放されたまま試料中に垂直に挿入される。閉塞部材３４および試料収容部材３２が容器の底部に到達したとき、収容部４０には目的の位置の試料が満たされた状態となる。
なお、上記した方法に限ることなく、試料採取前は、貫通孔部４２に収容部４０を収容した状態としておき、試料採取時に閉塞部材３４から試料収容部材３２をずらして貫通孔部４２から収容部４０を露出してもよい。
【００２９】
試料採取後は、図５Ｂに示すように、閉塞部材３４から試料収容部材３２をずらして貫通孔部４２に収容部４０を収容する。
【００３０】
なお、本実施の形態の第二の例に係る試料採取器３０の変形例として、試料採取器３０ａは、図６に示すように、試料収容部材３２ａの突起部３８ａの貫通部（収容部）４０ａを支持部３６に近い部分に形成してもよい。試料採取前後は、突起部３８ａの先端を閉塞部材３４から露出させるとともに収容部４０ａを閉塞部材３４で閉塞し、試料採取時は、突起部３８ａを引き出して収容部４０ａを露出する。
これにより、試料採取前後において、一体化した試料収容部材３２ａおよび閉塞部材３４の取り扱い性に優れる。
【００３１】
本実施の形態の第二の例に係る試料採取器３０およびその変形例の試料採取器３０ａは、本実施の形態の第一の例に係る試料採取器１０と同様の効果を得ることができる。
【００３２】
つぎに、上記基本原理２を用いた本実施の形態の第三の例に係る試料採取器について、図６、図７、図８Ａ、図８Ｂおよび図８Ｃを参照して説明する。
【００３３】
本実施の形態の第三の例に係る試料採取器４４は、試料収容部材４６と、第一の閉塞部材４８と、第二の閉塞部材５０を備える。
試料収容部材４４は、本実施の形態の第一の例に係る試料採取器１０の試料収容部材２０とほぼ同様の形状であり、１または２以上の貫通孔部（収容部）５２を備える柱状部材である。
第一の閉塞部材４８は、試料収容部材４４と対応して設けられ、支持部５４と、突起部５６からなる。支持部５４は、４つの辺５４ａ、５４ｂ、５４ｃ、５４ｄからなる枠体状に形成される。参照符号５４ｅは、把持部を示す。突起部５６は、支持部５４の辺５４ｂに突出して１または２以上、辺５４ｂの長手方向に設けられ、貫通孔部５２を閉塞可能である。なお、辺５４ａ、５４ｃ、５４ｄは必要に応じて省いてもよい。
第二の閉塞部材５０は、孔部を有さない筒状部材である。なお、参照符号５０ａは把持部を示す。
【００３４】
試料採取に先立ち、図８Ａに示すように、試料収容部材４６の貫通孔部５２に第一の閉塞部材４８の突起部５６を挿入して貫通孔部５２を閉塞して、試料収容部材４６と第一の閉塞部材４８を一体化させる。そして、この状態で、把持部５４ｅを把持して、試料収容部材４６および第一の閉塞部材４８を、図示しない容器の底面に当接するように容器の内部に浸漬する（図２Ａ参照。）。このとき、容器の底面に辺５４ｃが当接することにより、試料収容部材４６は容器の底面に対して垂直に正しく位置決めされる。貫通孔部５２は第一の閉塞部材４８の突起部５６によって閉塞されるため、試料採取前には収容部（貫通孔部）５２に容器内の測定、分析対象物が進入することが防止される。
【００３５】
試料採取（収容）時、図８Ｂに示すように、第一の閉塞部材４８を試料収容部材４６に対して相対的に移動させて、すなわち、具体的には、第一の閉塞部材４８の突起部５６を試料収容部材４６の貫通孔部５２から引き抜く。これにより、突起部５６を引き抜く過程で開放された貫通孔部５２が減圧状態となり、測定、分析対象物２８が吸引され、貫通孔部５２に収容される。測定、分析対象物２８が高粘度物等の場合は、この吸引効果によって、試料が貫通孔部５２に、より確実に収容される。
【００３６】
試料を貫通孔部５２に収容した後は、図８Ｃに示すように、第二の閉塞部材５０を試料収容部材４６に外嵌し、貫通孔部５２を閉塞する。そして、一体化した試料収容部材４６および第二の閉塞部材５０を容器から引き上げて、測定、分析に供する。
【００３７】
本実施の形態の第三の例に係る試料採取器４４は、本実施の形態の第一の例に係る試料採取器１０と同様の効果を得ることができる。
【００３８】
つぎに、本実施の形態の第四の例に係る試料採取器について、図１１〜１３を参照して説明する。なお、図１３において、試料採取部５８ａは図示を省略している。
【００３９】
本実施の形態の第四の例に係る試料採取器５８は、３組の試料採取部５８ａ、５８ｂ、５８ｃを備える。ただし、３組という組数は例示であって適宜設定でき、組数は２組であってもよく、また４組以上でもよい。
試料採取部５８ａ、５８ｂ、５８ｃは、それぞれ、試料収容部材６０ａ、６０ｂ、６０ｃと、閉塞部材６２ａ、６２ｂ、６２ｃを備える。なお、図１１中、参照符号６４は試料採取量を設定、確認するための目盛りを示す。
試料収容部材６０ａ、６０ｂ、６０ｃは、それぞれ中空筒部材である。試料収容部材６０ａ、６０ｂ、６０ｃは、円筒形状であってもよく、また、多角形筒形状であってもよい。閉塞部材６２ａ、６２ｂ、６２ｃは、それぞれ試料収容部材６０ａ、６０ｂ、６０ｃの形状に応じた（相補する）柱状部材である。閉塞部材６２ａ、６２ｂ、６２ｃは、図１１中上方から試料収容部材６０ａ、６０ｂ、６０ｃに嵌脱自在に挿入されて試料収容部材６０ａ、６０ｂ、６０ｃを下端部まで完全に閉塞することができる。閉塞部材６２ａ、６２ｂ、６２ｃは、上端部が曲げられた鉤状部材であり、曲げられた部分が閉塞部材６２ａ、６２ｂ、６２ｃを上下動させるときの把持部とされる。ただし、上端部を適宜の把持部形状としてよいことはいうまでもない。
閉塞部材６２ａ、６２ｂ、６２ｃで試料収容部材６０ａ、６０ｂ、６０ｃを下端部まで完全に閉塞した試料採取器５８を、容器２６に入った測定、分析対象物２８中に沈める。ついで、所定の位置で試料収容部材６０ａ、６０ｂ、６０ｃを保持した状態で閉塞部材６２ａ、６２ｂ、６２ｃを図１１中上方に引き上げることにより、試料収容部材６０ａ、６０ｂ、６０ｃの下端部から測定、分析対象物２８が試料収容部材６０ａ、６０ｂ、６０ｃ内に吸引されて、試料を採取することができる。
【００４０】
それぞれの試料採取部５８ａ、５８ｂ、５８ｃは、試料収容部材６０ａ、６０ｂ、６０ｃの下端面高さ位置を相互に違えて、固着して一体化される。試料収容部材６０ａ、６０ｂ、６０ｃの下端面高さ位置の関係は、特に限定するものではなく適宜の距離違えてよい。これにより、深さ位置の異なる試料を採取することができる。なお、図１１において試料収容部材６０ａ、６０ｂ、６０ｃの上端面高さ位置を相互に変えてそれぞれの把持部が干渉しないようにしているが、これに変えて試料収容部材６０ａ、６０ｂ、６０ｃの上端面高さ位置を同一にしてもよく、この場合、１本の手指で３つの把持部を同時に操作することが容易である。
試料採取部５８ａ、５８ｂ、５８ｃは、固着する方法に変えて、例えばそれぞれの試料採取部５８ａ、５８ｂ、５８ｃに適宜の係合部を設ける等により着脱自在に一体化してもよい。これにより、例えば、必要に応じて試料採取部５８ａ、５８ｂ、５８ｃのうちの例えば１本のみを外して用いて１つの試料を採取する操作が容易である。また、試料採取部５８ａ、５８ｂ、５８ｃのうちの破損等したものを外して新品と交換することもできる。
【００４１】
測定、分析対象物２８は、所定量の試料を正確に採取する必要がある。また、測定、分析対象物２８の種類によっては分析、測定に必要な試料の量が異なることがあり、あるいはまた、必要に応じて試料の採取量を異ならせることもある。これら異なる試料量を確実にかつ正確に採取するために目盛り６４のような目盛りや試料採取量調整機構を適宜設ける。
例えば、透明材料で形成した試料収容部材６０ａ、６０ｂ、６０ｃの外周の長手方向に複数の目盛り６４を設け、閉塞部材６２ａ、６２ｂ、６２ｃの下端面を所定位置の目盛り６４に合わせるように閉塞部材６２ａ、６２ｂ、６２ｃの引き上げストロークを調整し、試料採取量を調整、決定する。
また、例えば、閉塞部材６２ａ、６２ｂ、６２ｃの上部の外周の長手方向に複数の目盛りを設け、試料収容部材６０ａ、６０ｂ、６０ｃの上端面から閉塞部材６２ａ、６２ｂ、６２ｃを引き上げた目盛り数で試料採取量を調整、決定する。
また、例えば、閉塞部材６２ａ、６２ｂ、６２ｃおよび試料収容部材６０ａ、６０ｂ、６０ｃの摺接部の長手方向に所定間隔で複数のノッチ機構を設け、閉塞部材６２ａ、６２ｂ、６２ｃを引き上げたときのクリック感で閉塞部材６２ａ、６２ｂ、６２ｃの引き上げストロークを調整し、試料採取量を調整、決定する。あるいは、閉塞部材６２ａ、６２ｂ、６２ｃおよび試料収容部材６０ａ、６０ｂ、６０ｃの摺接部にネジ機構を設け、閉塞部材６２ａ、６２ｂ、６２ｃを回転させながら引き上げたときの回転数で閉塞部材６２ａ、６２ｂ、６２ｃの引き上げストロークを調整する。
【００４２】
試料収容部材６０ａ、６０ｂ、６０ｃの材料は特に限定するものではなく、例えば、SUS等の金属、適宜の樹脂、ガラス、セラミック等を用いることができる。特に、透明または半透明なガラス、セラミックや、透明または半透明なシリコーン、アクリル、塩化ビニル、ポリカーボネート、ポリテトラフルオロエチレン等の樹脂類であれば、収容部材６０ａ、６０ｂ、６０ｃの内部の閉塞部材６２ａ、６２ｂ、６２ｃを透視することができ、試料の採取状態を観察することができ、好適である。
また閉塞部材６２ａ、６２ｂ、６２ｃの材料も特に限定されることはなく、例えば、SUS等の金属、適宜の樹脂、ガラス、セラミック等を用いることができる。
試料採取器５８の各部寸法は、特に限定するものではなく、測定、分析対象物２８の性質や試料の必要採取量等を考慮して適宜設定することができる。試料収容部材６０ａ、６０ｂ、６０ｃを例えば１．５ｍｍ程度の外径を有する細管とすると、例えば化粧品クリーム等の高粘性試料を入れた容器２６の底面まで試料採取器５８を差し込む操作を容易に行うことができて好適である。
【００４３】
試料採取に先立ち、閉塞部材６２ａ、６２ｂ、６２ｃで試料収容部材６０ａ、６０ｂ、６０ｃを下端部まで完全に閉塞する。これにより、試料採取前には試料収容部材６０ａ、６０ｂ、６０ｃに容器２６内の測定、分析対象物２８が進入することが防止される。
この状態で、試料採取器５８を、例えば容器２６の底面まで一端沈めた後、わずかに引き上げる。あるいは、このとき、試料収容部材６０ｃの先端部を斜めに削ってテーパ状に形成しておくと、試料収容部材６０ｃの先端部を容器２６の底に当接した状態で測定、分析対象物２８を採取することができる。
つぎに、閉塞部材６２ａ、６２ｂ、６２ｃを所定のストローク引き上げて、試料収容部材６０ａ、６０ｂ、６０ｃに生じる空間に測定、分析対象物２８を所定量吸引する。このとき、閉塞部材６２ａ、６２ｂ、６２ｃをそれぞれ個別に操作し、また、閉塞部材６２ａ、６２ｂ、６２ｃの引き上げ高さをそれぞれで異ならせて測定、分析対象物２８の採取量を閉塞部材６２ａ、６２ｂ、６２ｃごとに変えてもよい。また、閉塞部材６２ａ、６２ｂ、６２ｃを同時に所定の目盛り分引き上げると、１回の操作で深さ位置の異なる測定、分析対象物２８の試料を同一量採取することができる。
試料採取後、試料採取器５８を容器２６から引き上げる。このとき、例えば化粧用クリーム等の高粘性の測定、分析対象物２８の試料は試料収容部材６０ａ、６０ｂ、６０ｃの内部に確実に保持され、測定、分析に供される。
【００４４】
以上説明したように、試料採取器５８は、試料収容部材６０ａ、６０ｂ、６０ｃの下端面を開放し、測定、分析対象物２８の流入口とするものである。
これに対して、試料収容部材６０ａ、６０ｂ、６０ｃの下端面を閉塞し、下端面近傍の試料収容部材６０ａ、６０ｂ、６０ｃの側面に試料収容部材６０ａ、６０ｂ、６０ｃの内部空間に連通する孔部を設け、この孔部を測定、分析対象物２８の流入口としてもよい。これにより、試料収容部材６０ｃの先端部を容器２６の底に当接した状態で測定、分析対象物２８を採取することができる。また、ハンドリング時に、採取した測定、分析対象物２８が試料収容部材６０ａ、６０ｂ、６０ｃから漏れ出すおそれをより確実に防止することができる。また、このとき、下端面近傍の試料収容部材６０ａ、６０ｂ、６０ｃの側面の径方向に（同一高さの異なる方向に）小径の孔部を複数設けると、同じ深さの複数の方向の測定、分析対象物２８の試料を集めることができ、また、孔部が小径であるため、ハンドリング時に、採取した測定、分析対象物２８が試料収容部材６０ａ、６０ｂ、６０ｃから漏れ出すおそれをさらに確実に防止することができる。
【００４５】
本実施の形態の第四の例に係る試料採取器５８は、本実施の形態の第一の例に係る試料採取器１０と同様の効果を得ることができる。
【実施例】
【００４６】
クリーム製剤を製造する製造釜内の各成分の釜内均一性を確認する目的で以下の実験を行った。
製造したクリーム製剤は、水中油型乳化タイプであり、流動パラフィンおよび白色ワセリン等の油性成分、精製水および濃グリセリン等の水性成分、およびポリオキシエチレン硬化ヒマシ油等の界面活性剤を主成分とし、さらに、製剤１ｇ中に、尿素２００ｍｇおよび酢酸トコフェロール２０ｍｇ等の成分を含むように配合した。
まず、油性成分および酢酸トコフェロールを含む油相（内相）を７０℃程度に加温した。ついで、図９に示す容量５０リットルの製造釜（乳化機）にあらかじめ仕込んだ尿素を含む水性成分に、さらに油相を徐々に添加して、原料総量で４０ｋｇ仕込んで攪拌して乳化し、その後、室温まで冷却してクリーム製剤を得た。
試料採取器は、図９に示す構造の本実施の形態の第三の例に係る試料採取器４４を用いた。試料採取は、製造釜での乳化が完了して攪拌を停止した時点（冷却する前の７０℃の温度の時点）で行った。
採取した各試料（各深さ＝高さ位置の試料）から ０．１ｇを２回ずつ量りとり（ｎ＝２）、それぞれについて、
高速液体クロマトグラフィー（HPLC）により酢酸トコフェロールの定量を行った。結果を図１０に示す。なお、図１の縦軸中、高さ０ｃｍが釜底位置である。
【符号の説明】
【００４７】
１０、１０ａ、３０、３０ａ、４４、５８  試料採取器
１２、３２、３２ａ、４６、６０ａ、６０ｂ、６０ｃ  試料収容部材
１４、１４ａ、３４、６２ａ、６２ｂ、６２ｃ  閉塞部材
１６、５２  貫通孔部（収容部）
１８  鍔部
２０、２４、５０ａ、５４ｅ  把持部
２２ａ、２２ｂ  孔部
２６  容器
２６ａ  底面
２８  測定、分析対象物
３６、５４  支持部
３８、３８ａ、５６  突起部
４０、４０ａ  貫通部（収容部）
４２  貫通孔部
４８  第一の閉塞部材
５０  第二の閉塞部材
５４ａ〜５４ｄ  辺
５８ａ、５８ｂ、５８ｃ  試料採取部
【図１】
2011027726.tif 000003
【図２Ａ】
2011027726.tif 000004
【図２Ｂ】
2011027726.tif 000005
【図３】
2011027726.tif 000006
【図４】
2011027726.tif 000007
【図５Ａ】
2011027726.tif 000008
【図５Ｂ】
2011027726.tif 000009
【図６】
2011027726.tif 000010
【図７】
2011027726.tif 000011
【図８Ａ】
2011027726.tif 000012
【図８Ｂ】
2011027726.tif 000013
【図８Ｃ】
2011027726.tif 000014
【図９】
2011027726.tif 000015
【図１０】
2011027726.tif 000016
【図１１】
2011027726.tif 000017
【図１２】
2011027726.tif 000018
【図１３】
2011027726.tif 000019